(57)【要約】  アップリンクにおいて異なる送信タイムインターバルにまたがるデータコードシンボルおよびコントロールコードシンボルを送信するためのシステムおよび方法が提供される。送信タイムインターバル内の時間領域でオーバーラップするデータおよびコントロールシンボルは、多重化された後、データ送信のためにスケジュールされたリソースを使用して送信される。他方、多重化されないデータおよびコントロールコードシンボルは、それぞれの割り当てられたリソース中で送信される。多重化は、局所的および分散的リソースのスケジューリングとともに、シングルキャリア周波数分割多元接続システムのシングルキャリア特性を保存する。【選択図】図10
2010503334.tif 000002
【特許請求の範囲】
【請求項１】
無線通信において利用されるシステムであって、
次のことを行うように構成されたプロセッサ、
データおよびコントロールシンボルを送信するために、リソースの割り当てを受信すること、ここにおいて、コントロールシンボルの送信は、主たる送信タイムインターバル（TTI）において起こり、およびデータシンボルの送信は、従たる(TTI)において起こり、ここにおいて、前記主たるTTIは、前記従たるTTIを上回る、
共通のタイムピリオドの内に送信されるデータおよびコントロールシンボルを多重化し、および前記多重化されたシンボルを伝達するために、データ送信のために割り当てられたリソースを使用すること、および
前記データおよびコントロールシンボルが多重化されない場合、コントロールシンボルを送信するために、割り当てられたコントロールリソースを使用すること、
および、データを記憶するための、プロセッサに結合されたメモリ
を具備するシステム。
【請求項２】
前記プロセッサは、シングルキャリア周波数分割多元接続モードでデータおよびコントロールシンボルを送信する、請求項1に記載のシステム。
【請求項３】
前記プロセッサは、時分割多重化または周波数分割多重化を使用してデータおよびコントロールコードシンボルを多重化するようにさらに構成された、請求項1に記載のシステム。
【請求項４】
複数の異なる従たるTTIは、前記主たるTTIにまたがる、請求項1に記載のシステム。
【請求項５】
データコードシンボルは、前記主たるTTIの内の各々の従たるTTIにおいて送信される、請求項4に記載のシステム。
【請求項６】
データコードシンボルは、前記主たるTTIの内の1つおきの従たるTTIにおいて送信される、請求項4に記載のシステム。
【請求項７】
無線通信において利用される装置であって、
送信タイムインターバルの内に伝達される多重化されたデータおよびコントロールシンボルを送信するために、データ送信のために割り当てられたリソースのセットを使用するための手段、および
データおよびコントロールシンボルが多重化されない場合、コントロールシンボルを送信するために、割り当てられたコントロールリソースのセットを使用するための手段、
を具備する装置。
【請求項８】
無線通信環境において作動する装置であって、
データコードシンボルおよびコントロールコードシンボルを送信するためにリソースをスケジュールし、およびコントロールシンボルで多重化されたデータシンボルを受信するように構成されたプロセッサ、ここにおいて、前記送信された多重化されたコードシンボルは、データ送信のためにスケジュールされた前記リソースを利用する、および
データを記憶するための、プロセッサに結合されたメモリ
を具備する装置。
【請求項９】
前記プロセッサは、データおよびシンボルが多重化されていないと決定された場合、コントロール送信にスケジュールされた専用リソースで送信されるコントロールコードシンボルを受信するようにさらに構成された、請求項8に記載の装置。
【請求項１０】
前記プロセッサは、第1の送信タイムインターバルにおいてデータを送信し、および第2の送信タイムインターバルにおいてコントロールコードシンボルを受信するようにさらに構成された、請求項8に記載の装置。
【請求項１１】
Nは1以上の自然数であって、前記プロセッサは、N-ステップのハイブリッド自動再送要求（HARQ）の1ステップの内に複数の送信タイムインターバルにおいてデータコードシンボルを送信するようにさらに構成された、請求項10に記載の装置。
【請求項１２】
データコードシンボルおよびコントロールコードシンボルのための前記割り当てられたリソースは、多様な周波数、局所化された周波数、または両者の組み合わせである、請求項8に記載の装置。
【請求項１３】
無線環境における通信を円滑にする装置であって、
受信したコードシンボルストリームが多重化されたデータコードシンボルおよびコントロールコードシンボルのストリームであるかどうか決定する手段、および
前記シンボルが多重化されていると決定された場合、データコードシンボルおよびコントロールコードシンボルの前記ストリームを多重化解除する手段
を具備する装置。
【請求項１４】
データおよびコントロールコードシンボルが多重化されていない場合、専用のリソース割り当てで送信されたコントロールデータシンボルを受信する手段をさらに具備する、請求項13に記載の装置。
【請求項１５】
無線通信システムにおいて利用される方法であって、
データおよびコントロールコードシンボルの送信のためにスケジュールされたリソースを受け取ること、
データおよびコントロールコードシンボルが送信されているかどうかをある特定のタイムインターバルにおいて決定すること、
前記データおよび前記コントロールコードシンボルが前記特定のタイムインターバルの内に送信されると決定された場合に前記データおよび前記コントロールコードシンボルを多重化し、およびデータ送信のための前記割り当てられたリソースを使用して前記多重化されたコードシンボルを送信すること、および
前記データシンボルが前記特定のタイムインターバルの内に送信されない場合、前記コントロールおよび前記データコードシンボルを、それぞれの割り当てられたリソース上で送信すること
を具備する方法。
【請求項１６】
前記スケジュールされたリソースは、前記無線通信システムの使用に整合した最小限の送信タイムインターバルを含む、請求項15に記載の方法。
【請求項１７】
前記特別のタイムインターバルは、前記最小限のタイムインターバルの倍数である、請求項15に記載の方法。
【請求項１８】
前記コントロールシンボルと多重化された前記データコードシンボルは、加えられると前記TTIと等しくなる複数の送信タイムインターバル（TTI）にまたがる、請求項15に記載の方法。
【請求項１９】
送信レイテンシを最適化する複数のデータ送信タイムインターバルを推論することをさらに具備する、請求項18に記載の方法。
【請求項２０】
Mは1以上の自然数であって、前記多重化は、コントロールコードシンボルのM−1個のセットおよびデータコードシンボルのセットのM対1多重化である、請求項15に記載の方法。
【請求項２１】
コントロールコードシンボルおよびデータコードシンボルを送信するための前記スケジュールされたリソースは、局所化された周波数である、請求項15に記載の方法。
【請求項２２】
コントロールシンボルおよびデータシンボルを送信するための前記スケジュールされたリソースは、分散化周波数である、請求項15に記載の方法。
【請求項２３】
コントロールシンボルを送信するための前記スケジュールされたリソースは、局所化された周波数であり、およびデータコードシンボルを送信するための前記リソースは、分散化されている、請求項15に記載の方法。
【請求項２４】
コントロールシンボルを送信するための前記スケジュールされたリソースは、分散化された周波数であり、およびデータコードシンボルを送信するための前記割り当てられたリソースは、局所化された周波数である、請求項15に記載の方法。
【請求項２５】
請求項15に記載の方法を実行するように構成された電子装置。
【請求項２６】
機械によって実行されるとき、
データおよびコントロールコードシンボルを前記データシンボルがコントロール送信タイムインターバル(TTI)の内に送信される場合に多重化し、およびデータ送信のためにスケジュールされたリソースのセットを使用して前記多重化されたコードシンボルを送信すること、および
前記データシンボルが前記コントロールTTIの内に送信されない場合、前記コントロールおよびデータコードシンボルをスケジュールされたリソースのそれぞれのセットの上で送信すること
を含む動作を前記機械に行わせる命令を具備する機械可読媒体。
【請求項２７】
機械によって実行されるとき、前記機械に以下の行為を実行させる命令を内部に記憶する機械可読媒体：
データコードシンボルの第1のセットを第1の送信タイムインターバル(TTI)に送信する行為、
前記第1のTTIを包含する第2のTTIにおいてコントロールコードシンボルを受信する行為、および
前記第2のセット中のデータコードシンボルが前記コントロールTTIの内に送信されている場合、データコードシンボルと多重化されたコントロールコードシンボルをデータシンボルの第2のセットから受信する行為。
【請求項２８】
プロセッサによって実行されるとき、リソースのセットを割り当てる行為を行う命令をさらに記憶し、ここにおいて、前記リソースは、多様な周波数または選択的周波数である、請求項27に記載の機械可読媒体。
【請求項２９】
無線通信環境において使用される方法であって、
データおよびコントロールコードシンボルの送信のためのリソースの割り当てをスケジュールすること、
コードシンボルのストリームを受信し、およびデータコードシンボルおよびコントロールコードシンボルがデータ送信に割り当てられた前記リソース中で多重化されているかどうかを決定すること、および
データ送信のための前記割り当てられたリソース中の前記多重化されたデータおよびコントロールコードシンボルを多重化解除すること
を具備する方法。
【請求項３０】
請求項29の方法を実行する電子装置。
【発明の詳細な説明】
【関連出願の参照】
【０００１】
本件出願は、2006年9月5日付けで出願された「METHOD AND APPARATUS FOR DATA CONTROL AND MULTIPLEXING」という名称の米国仮出願第60/842,619号に基づいて優先権を主張するものである。この米国出願の全体は、参照によって本明細書に組込まれる。
【背景技術】
【０００２】
本明細書の主題は、一般に無線通信に関係し、特に、1つまたは複数の送信タイムインターバルにまたがるアップリンクのコントロールおよびデータのコードシンボルの送信に関係する。
【０００３】
無線通信は、人々の日々のルーチンのほぼあらゆる側面に浸透し、仕事/オフィス活動、およびレジャー活動を円滑にすることを目的として、音声、データ、ビデオ等のような様々なタイプの通信コンテンツを提供する無線システムが広く展開されている。これらのシステムは、利用可能なシステムリソース（例えば、バンド幅、送信電力）を共有することによって複数のユーザとの通信をサポートすることができる多元接続システムであってもよい。そのような多元接続システムの例は、符号分割多元接続(CDMA)システム、時分割多元接続(TDMA)システム、周波数分割多元接続(FDMA)システム、および直交周波数分割多元接続(OFDMA)システムを含んでいる。
【０００４】
このような無線システムについてユーザがますます多くのことを求めるようになったのにともなって、高速データレート、より高いキャパシティ、レガシ・プラットフォーム／システムの再利用、および低いレイテンシを提供できる無線環境の新しい世代として、第3世代LTE（Long Term Evolution）システムが登場した。第3世代LTEは、高い消費可能性を秘めた市場セグメントの間に優れたユーザ・エクスペリエンスまたはサービスの質を提供することにおいて、キーエレメントの1つである。マルチプレーヤ・オンラインゲームや遠隔バーチャルオフィス配備のような特定のアプリケーションは、低いレイテンシを必要とする。そして、ユーザは、そのような低いレイテンシのサービスを提供するサービスプロバイダに引き寄せられる。
【０００５】
ユーザ装置における低い複雑性と電力の効率的使用との両立を維持しつつ、低いレイテンシを達成するために、3G LTEシステムは、非対称の通信リンクを利用している。すなわち、順方向リンク(またはダウンリンク)は、直交周波数分割多元接続を使用し、ここでは、データレートおよびセルキャパシティを上げるために、データおよびコントロールコードシンボルを複数のキャリアで送ることにより送信が行われる。また、逆方向リンク(またはアップリンク)は、シングルキャリア周波数分割多元接続を使用する。これは、端末における低いピーク電力対平均電力比（PAPR）および電力リソースの継続的な効率的使用を可能にする。したがって、データレートおよび容量増加ならびにレイテンシに関するいかなる技術進歩も、ダウンリンクおよびアップリンクのそのような特性を保存する必要がある。特に、レイテンシを小さくするためには、DL（ダウンリンク）データ／コントロールコードシンボルを短い送信タイムインターバル（TTI）で送信し、その一方で、コントロール情報（例えば、チャネル品質インジケータ、干渉レベル、端末の能力および状態等々）を適切に伝達すべく、十分長いTTI（典型的には前記DLデータTTIより長いTTI）を用いてSC-FDMAで送信されるUL(アップリンク)コントロールコードシンボルを受信する必要がある。端末および処理の複雑度の増大は、レイテンシを下げることにより得られるゲインに依存して、受け入れ可能である。
【発明の概要】
【０００６】
以下の記述は、本明細書において開示される実施形態の若干の態様について基本的理解を提供するために、単純化した要約を提供するものである。この要約は、網羅的概観ではなく、決定的または重大なエレメントを特定するものでもまたはそのような実施形態の範囲を画定することを意図するものでもない。その目的は、あとで提示されるより詳細な説明の前置きとして、当該説明される実施形態のいくつかの概念を単純化した形式で提示することにある。
【０００７】
ある態様にしたがって、本発明は、次のことを行なうように構成されたプロセッサを具備するシステムであって、無線通信において利用されるシステムを提供する：データおよびコントロールシンボルを送信するためにリソースの割り当てを受信すること―ここにおいて、コントロールシンボルの送信は、主たる送信タイムインターバル（TTI）において起こり、データシンボルの送信は、従たるTTIで起こり、また前記主たるTTIは、前記従たるTTIより長い―、共通のタイムピリオドの内に送信されるデータおよびコントロールシンボルを多重化しかつ前記多重化されたシンボルを伝達するために、データ送信のために割り当てられたリソースを使用すること、および前記データおよびコントロールシンボルが多重化されない場合、コントロールシンボルを送信するために、割り当てられたコントロールリソースを使用すること。さらに、前記システムは、データを記憶するための、プロセッサに結合されたメモリを具備する。
【０００８】
他の態様において、無線通信システムにおいて利用される装置であって、次の手段を具備する装置が提供される：ある送信タイムインターバルの内に伝達される多重化されたデータおよびコントロールシンボルを送信するために、データ送信のために割り当てられたリソースのセットを使用する手段、およびデータおよびコントロールシンボルが多重化されない場合、コントロールシンボルを送信するために、割り当てられたコントロールリソースのセットを使用するための手段。
【０００９】
さらに他の態様において、無線通信環境の中で作動する装置であって、次のものを具備する装置が提供される：データコードシンボルおよびコントロールコードシンボルを送信するためにリソースをスケジュールし、かつコントロールシンボルと多重化されたデータシンボルを受信するように構成されたプロセッサ、ここにおいて、前記送信される多重化されたコードシンボルは、データ送信にスケジュールされた前記リソースを利用する、およびデータを記憶するための、プロセッサに結合されたメモリ。
【００１０】
他の態様にしたがって、無線環境における通信を円滑化する装置であって、次の手段を具備する装置が提供される：受信したコードシンボルストリームが、多重化されたデータコードシンボルおよびコントロールコードシンボルのストリームであるかどうか決定する手段、および前記シンボルが多重化されていると決定された場合、データコードシンボルおよびコントロールコードシンボルの前記ストリームを多重化解除する手段。
【００１１】
さらに他の態様にしたがって、無線通信システムにおいて使用される方法であって、次のステップを具備する方法が提供される：データおよびコントロールコードシンボルを送信するためにスケジュールされたリソースを受信するステップ、データおよびコントロールコードシンボルが送信されるかどうかをある特定のタイムインターバルにおいて決定するステップ、前記データおよび前記コントロールコードシンボルが前記特定のタイムインターバルの内に送信されると決定された場合に前記データおよび前記コントロールコードシンボルを多重化し、およびデータ送信のための前記割り当てられたリソースを使用して前記多重化されたコードシンボルを送信するステップ、および前記データシンボルが前記特定のタイムインターバルの内に送信されない場合、前記コントロールおよび前記データコードシンボルを、それぞれの割り当てられたリソースの上で送信するステップ。
【００１２】
さらに他の態様において、機械によって実行されるとき、前記機械に次の動作を行わせる命令を具備する機械可読媒体が提供される：データシンボルがコントロール送信タイムインターバル（TTI）の内に送信される場合、データおよびコントロールコードシンボルを多重化し、およびデータ送信のためにスケジュールされたリソースのセットを使用して前記多重化されたコードシンボルを送信する動作、および前記データシンボルが前記コントロールTTIの内に送信されない場合、前記コントロールおよびデータコードシンボルを、スケジュールされたリソースのそれぞれのセットの上で送信する動作。
【００１３】
プロセッサによって実行されるとき、前記機械に次の行為を行なわせる命令を内部に記憶する機械可読媒体が提供される：第1の送信タイムインターバル(TTI)においてデータコードシンボルの第1のセットを送信する行為、前記第1のTTIを包含する第2のTTIにおいてコントロールコードシンボルを受信する行為、および第2のセット中のデータコードシンボルが前記コントロールTTIの内に送信される場合、データコードシンボルと多重化されたコントロールコードシンボルをデータシンボルの第２のセットから受信する行為。
【００１４】
さらに他の態様において、無線通信環境において使用される方法であって、次のことを具備する方法が提供される：データおよびコントロールコードシンボルを送信するためのリソースの割り当てをスケジュールすること、コードシンボルのストリームを受信し、および前記データコードシンボルおよびコントロールコードシンボルがデータ送信に割り当てられた前記リソースの中で多重化されているかどうか決定すること、およびデータ送信のための前記割り当てられたリソース中の前記多重化されたデータおよびコントロールコードシンボルを多重化解除すること。
【００１５】
前記の目的および関連する目的を達成するために、1つまたは複数の実施形態は、以下において十分に説明され、請求項において特に列挙される特徴を具備する。以下の説明および添付の図面は、ある例示的態様を詳細に記述するものであり、実施形態の原理が用いられる可能性のある様々な方法のうちのごく一部を示すものにすぎない。他の利点および新規な特徴は、以下の詳細な説明が図面とともに考慮されるとき、その説明から明白になるであろう。また、開示された実施形態は、そのような態様およびそれらの均等物をすべて含むように意図されている。
【図面の簡単な説明】
【００１６】
【図１】図1は、主題の明細書の態様にしたがっているコントロールおよびデータコードシンボルの送信および受信を円滑化するシステムのブロック図である。
【図２】図2は、MIMO送信機および受信機のブロック図である。
【図３】図3は、MU-MIMO構成のブロック図である。
【図４Ａ】図4Aは、主題の明細書の態様にしたがっているULコントロールおよびULデータの送信を例示する。
【図４Ｂ】図4Bは、主題の明細書の態様にしたがっているULコントロールおよびULデータの送信を例示する。
【図４Ｃ】図4Cは、主題の明細書の態様にしたがっているULコントロールおよびULデータの送信を例示する。
【図５】図5は、第1のTTIにまたがるULコントロールコードシンボル、および第2の、異なるTTIにまたがるULデータシンボルの送信を例示する。
【図６】図6は、第1のTTIにまたがる第1および第2のULコントロールコードシンボル、および第2の、異なるTTIにまたがるULデータシンボルの送信を例示する。
【図７】図7は、サブTTIにまたがるDLデータコードシンボル、およびTTIにまたがるULコントロールコードシンボルの送信を例示する。
【図８】図8は、主題の明細書の態様にしたがっている、2つのサブTTI内のDLデータコードシンボルの送信の一例、およびULコントロールコードシンボルの2つのストリームを例示する。
【図９】図9は、2以上のサブTTIにまたがるDLおよびULデータコードシンボルの送信を例示する。
【図１０】図10は、データおよびコントロールコードシンボルを送信する方法の一例のフローチャートである。
【図１１】図11は、データおよびコントロールコードシンボルを受信する方法の一例のフローチャートである。
【図１２】図12は、データおよびコントロールコードシンボルの送信のためにスケジュールされたリソースを使用することを可能にするシステムの一例を例示する。
【図１３】図13は、データおよびコントロールコードシンボルが多重化されるかどうかの決定、およびそのようなシンボルの多重化解除を可能にするシステムの一例を示す。
【発明の詳細な説明】
【００１７】
次に図面を参照しつつ、様々な実施形態が説明される。図面においては、全体を通じて同様のエレメントをさすために同様の参照数字が用いられる。以下の記載において、説明のために、数多くの特別の詳細が1つまたは複数の態様について完全な理解を提供するために記される。しかしながら、そのような実施形態がこれらの特別の詳細を伴うことなく実施可能であることは明白であろう。他の例において、周知の構造や装置は、1つまたは複数の実施形態についての説明を簡便化するためにブロック図の形で示されることもある。
【００１８】
本明細書において、「例示的」の語は、例、実例、または例示として役立つことを意味するものとして使用される。本明細書において「例示的」と説明されるどの態様またはデザインも、必ずしも他の態様またはデザインに比べて好ましいとか有利であるとかいうふうに解釈されてはならない。そうではなくて、「例示的」の語の使用は、発明概念を具体的な様式で提供するように意図されている。
【００１９】
さらに、「または」の語は、排他的「または」ではなく、包括的「または」を意味するように意図されている。すなわち、特にそうでないと指定されないかぎり、または文脈から明らかでないかぎり、「XはAまたはBを使用する」という文章は、自然な包括的組み合わせのうちのどれをも意味するよう意図されている。すなわち、「XがAを使用する」、「XがBを使用する」、または、「XがAとBの両方を使用する」のいずれの場合の下にあっても、「XはAまたはBを使用する」は充足される。さらに、本出願および添付の請求項において使われる冠詞の「a」および「an」は、特にそうでないと指定されないかぎり、または単数形に向けられていることが文脈から明らかでないかぎり、「１つまたは複数」を意味するものとして一般に解されるべきである。
【００２０】
本出願において使用されているように、「コンポーネント」、「モジュール」、「システム」、および同様の語は、コンピュータ関連の実体、すなわちハードウェア、ファームウェア、ハードウェアとソフトウェアの組み合わせ、ソフトウェア、または実行中のソフトウェアのいずれかを指すように意図されている。例えば、コンポーネントは、以下に限るものではないが、プロセッサ上で動作中のプロセス、プロセッサ、オブジェクト、実行可能ファイル、実行スレッド、プログラム、および/または、コンピュータであることができる。実例として、計算装置上で動作するアプリケーションおよび計算装置のいずれもコンポーネントであることができる。１つまたは複数のコンポーネントが１つのプロセスおよび/または実行スレッドの内に存在することができるし、また１つのコンポーネントが１つのコンピュータ上に局所化されること、および/または２つまたはそれ以上のコンピュータ間に分散化されることも可能である。さらに、これらのコンポーネントは、様々なデータ構造を内蔵する様々なコンピュータ可読媒体からプログラムを実行することもできる。コンポーネントは、１つまたは複数のデータパケット（例えば、ローカルシステム、分散システムおよび/またはシグナルによって他のシステムと接続されているインターネットのようなネットワーク上において他のコンポーネントと相互作用をする１つのコンポーネントからのデータ）を有する信号にしたがっているようなローカル処理および/またはリモート処理によって通信することもできる。
【００２１】
さらに、本明細書ではモバイルデバイスに関連して、様々な実施形態が説明される。無線端末は、システム、加入者ユニット、加入者局、移動局、移動体、リモート局、リモート端末、アクセス端末、ユーザ端末、端末、無線通信デバイス、ユーザエージェント、ユーザデバイス、またはユーザ機器（UE）とも呼ばれることができる。モバイルデバイスは、セルラ電話、コードレス電話、SIP（Session Initiation Protocol）電話、無線無ローカルループ（WLL）局、PDA(情報携帯端末)、無線接続能力のあるハンドヘルドデバイス、計算デバイス、または無線モデムと接続されたその他の処理デバイスであることができる。
【００２２】
さらに、本明細書では基地局に関連して、様々な実施形態が説明される。基地局は、モバイルデバイスとの通信のために利用されることができる。基地局はまた、アクセスポイント、ノードB、発展的ノードB(eNodeB)、または他のなんらかの用語で呼ばれることができる。
【００２３】
本明細書において使用されているように、「プロセッサ」という語は、古典的アーキテクチャまたは量子コンピュータを指すことがある。古典的アーキテクチャは、以下のものに限られるわけではないが、シングルコア；ソフトウェアマルチスレッド実行能力を備えたシングルプロセッサ；マルチコアプロセッサ；ソフトウェアマルチスレッド実行能力を備えたマルチコアプロセッサ；ハードウェアマルチスレッド技術を備えたマルチコアプロセッサ；並列プラットフォーム；および分散共有メモリを備えた並列プラットフォームを含む。さらに、プロセッサは、集積回路、特定用途向けIC(ASIC)、プログラマブルロジックコントローラ(PLC)、複合プログラマブル論理デバイス(CPLD)、またはフィールドプログラマブルゲートアレイ(FPGA)を指すことができる。量子コンピュータアーキテクチャは、ゲート制御または自己アセンブルされた量子ドット、量子核磁気共鳴プラットフォーム、超伝導ジョセフソン接合などで具体化されたキュービットに基づくものであってもよい。プロセッサは、空間の使用を最適化し、ユーザ機器のパフォーマンスを増強するために、分子および量子ドットに基づいたトランジスタ、スイッチおよびゲートのような（これらのものに限られないが）ナノスケールアーキテクチャを使用することができる。
【００２４】
本説明において、「メモリ」の語は、データの記憶、アルゴリズムの記憶、および他の情報の記憶（例えば、以下のものに限られないが、イメージの記憶、デジタル音楽および映像の記憶、図表およびデータベースの記憶など）をいう。本明細書において説明されるメモリコンポーネントは、揮発性メモリまたは不揮発性メモリのいずれであってもよく、また揮発性メモリおよび不揮発性メモリの両方を含むこともできるということが認識されるであろう。実例として、また非制限的列挙として、不揮発性メモリは、読み出し専用メモリ(ROM)、プログラマブルROM(PROM)、電気的プログラマブルROM(EPROM)、電気的消去可能ROM(EEPROM)、またはフラッシュメモリを含むことができる。揮発性メモリは、外部キャッシュメモリとして働くランダムアクセスメモリ(RAM)を含むことができる。実例として、また非制限的列挙として、RAMは、同期RAM(SRAM)、ダイナミックRAM(DRAM)、同期DRAM(SDRAM)、ダブルデータレートSDRAM(DDR SDRAM)、エンハンスドSDRAM(ESDRAM)、シンクリンクDRAM(SLDRAM)、および直接ラムバスRAM(DRRAM)のような多くの形式で利用可能である。さらに、本明細書において開示されているシステムおよび/または方法のメモリコンポーネントは、これらおよびその他の適切なタイプのメモリを非制限的に具備するよう意図されている。
【００２５】
本発明のシステムおよび方法は、無線通信システムのアップリンク中のデータおよびコントロールコードシンボルの通信を円滑にする。データおよびコントロールコードシンボルは、複数の送信タイムインターバルにまたがることができる。また、TTI内の時間領域においてオーバーラップするこれらのコードシンボルは、多重化されて、データ送信のためにスケジュールされたリソースの上で送信される。多重化されないコントロールシンボルは、コントロール送信のためにスケジュールされた専用リソースにおいて送信される。本システムおよび方法は、以下において一層詳しく説明される。
【００２６】
図1は、主題の発明の一態様にしたがっているデータコードシンボルおよびコントロールコードシンボルの通信を円滑化するシステム100を例示する。実施形態100は、ユーザ機器120および基地局140を含む。基地局140は、通信ダウンリンク(DL)160およびアップリンク(UL)180によって無線通信をする。ユーザ機器120は、ダウンリンク160を通じて、(アップリンク)データおよび(アップリンク)コントロールコードシンボルを送信するためのリソースの割り当てを受信することができる。さらに、端末は、データ163を受信することができる。データ163は、特別の送信タイムインターバル(TTI)において、DL 160において送信されることができる。DLコントロールコードシンボルは、異なるTTI(図示されていない)においてもダウンリンク上で送信され得ることに留意すべきである。
【００２７】
ある態様において、ダウンリンク送信は、直交周波数分割多重化(OFDM)によって行うことができる。ダウンリンク160上で受信されたデータ163に応答して、ユーザ機器120は、コントロール受領通知/否定受領通知(ACK/NACK)信号を送信することができる。さらに、送信されるコントロールコードシンボル183は、チャネル状態(例えば、信号対雑音（SN）比、信号対干渉雑音（SINR）比)、バッファ(メモリ125において具現化可能)ステータス、アンテナ選択、電力コントロールデータ、隣接セル測定などを含むことができる。 ULコントロール183は、データ163のダウンリンクTTIとは異なるものであり得る送信タイムインターバルにおいて送信されることができる。さらに、UE 120は、アップリンク180上でデータ186を送信することができる。そのようなデータは、端末のユーザによって生成されることができる（例えば音声）、またはプロセッサ123によって生成されることもできる。例えば、ファイル、命令または計算結果を、基地局140に接続されたサーバ(図示されていない)にアップロードすることである。ある態様において、アップリンク180送信は、シングルキャリア周波数分割多元接続(SC-FDMA)によって行うことができる。これは、3G LTEの場合である。ULデータ186は、ULコントロール183 のTTIと異なるTTIのあいだに送信されることができる。要するに、ダウンリンク160において送信されるデータ163は、第1のTTIを持ち、ULコントロール183は、第2のTTIを持ち、およびULデータ186は、第3のTTIを持つことができるということが本明細書において企図されている。図1において、これらの異なるTTIは、異なるサイズのボックスで絵的に示されている。また、図1の表現例において、ULコントロールTTIは、ULデータTTIより長い。
【００２８】
主題の発明において、コントロール183およびデータ186の TTIの間の不均衡を円滑化するために、そしてSC-FDMAとして実装可能なUL送信特性を保存するため、オーバーラップするTTIの中で(ダウンリンク160およびアップリンク180を保持する無線チャネルの上で)送信されるコントロールコードシンボルおよびデータコードシンボルデータは、データ送信のためにスケジュールされたリソースを用いることによって、送信前に多重化される(例えば、プロセッサ123を通じて多重化(MUX)コンポーネント131を利用するUE 120によって)。 適切に(以下を参照; 図4C)スケジュールされている(例えば基地局140によって)リソースについては、そのような多重化は、逆方向リンク(またはアップリンク)のシングルキャリア特性を保存できる。図1において、データおよびコントロールコードシンボルの多重化は、灰色の棒で絵的に示されている(図4Aも参照のこと)。多重化されないULデータおよびコントロールコードシンボルは、それぞれのスケジュールされたリソースの中で送信される(例えばUE 120によって)。ある態様において、コントロールシンボルの送信のために割り当てられたリソースがULの専用周波数領域にまたがることがある。そのような領域は、周波数サブキャリアに分割される。また、そのような予約された領域の範囲は、システムバンド幅およびサブキャリアスペーシングのような無線システムの動作仕様に依存する。
【００２９】
多重化されたデータの送信は、UE中心であり得ることが認識されるべきである。また、上で言及されたように、アップリンク180のシングルキャリア特性を保存することが必要な場合もある。無線装置(例えばUE 120)によって送信された多重化されたコードシンボルストリームは、アクセスポイント(例えば基地局140)によって受信され得る。アクセスポイントは、ULコントロールおよびULデータが多重化されているかどうか決定することができる。ある態様において、そのような決定は、コントロールシンボルを受信すべくスケジュールされていた時刻に、物理的アップリンクコントロールチャネル(PUCCH)専用周波数領域で、コードシンボルが受信されたかどうかをチェックすることにより進む。コードシンボルが受信されていない場合、基地局は、コントロールおよびデータシンボルは多重化されていると決定する。そのような決定スキームは、アクセスポイント(例えば基地局140)がULコントロールコードシンボルの到着時に関する情報を持っているという事実に依存することが認識されるべきである。データおよびコントロールが多重化されていると決定されると、アクセスポイントは、当該受信したシンボルストリームを多重化解除する。実施形態100において、基地局140は、上記決定を実行し、コントロールおよびデータシンボルを多重化解除することができる受信コンポーネント149を含んでいる。プロセッサ143は、それらの行為を管理することができる。そのような決定および多重化を達成するため、受信コンポーネント149は、二重目的の逆／直接高速フーリエ変換(I/D FFT)コンポーネント152および多重化解除(DEMUX)コンポーネント155を利用する。I/D FFTコンポーネント152は、受信した信号を時間領域から周波数領域へ変換し(例えば直接FFT)、PUCCHのために予約されている領域内のサブキャリアが非ゼロ係数を含んでいるか調べ、否定的な場合、データストリームは、DEMUXコンポーネント155によって多重化解除される。
【００３０】
以下において、ULコントロールおよびデータコードシンボルの送信が多重化を要求する可能性のあるシナリオが提供される。異なる送信タイムインターバルによるDLデータおよびULコントロールの送信例も提示される。DL/ULデータおよびコントロールの送信が起こる可能性のあるシステムが次に議論される。
【００３１】
図2は、本明細書において記述される１つまたは複数の態様にしたがって、無線通信環境におけるセクタ通信に備えることができるMIMO(複数入力・複数出力)システムにおける送信機システム210(例えば基地局140)、および受信機システム250（例えばユーザ機器120)の実施形態のブロック図である。送信機システム210において、多数のデータストリームのためのトラヒックデータがデータソース212から送信（TX）データプロセッサ214に提供されることができる。ある実施形態において、各データストリームは、それぞれの送信アンテナから送信される。TXデータプロセッサ214は、その各データストリームのために選択された特定の符号化スキームに基づいて、その各データストリームのためのトラヒックデータをフォーマットし、符号化し、およびインターリーブし、もって符号化されたデータを供給する。各データストリームのために符号化されたデータは、OFDM技法を使用してパイロットデータと多重化されてもよい。パイロットデータは、典型的には、公知の方法で処理される公知のデータパターンであって、受信機システムにおいてチャネル応答を推定するために使用されることができる。各データストリームのための多重化されたパイロットおよび符号化されたデータは、つぎに、特定の変調スキーム[例えば、二位相シフトキーイング(BPSK)、四位相シフトキーイング(QPSK)、多相位相シフトキーイング(M-PSK)またはm次直交振幅変調(M-QAM)]に基づいて変調（例えばシンボルマップ）され、もって変調シンボルを供給する。各データストリームのためのデータレート、符号化、および変調は、プロセッサ230によって実行される命令によって決定されてもよい。
【００３２】
すべてのデータストリームのための変調シンボルは、つぎに、TX MIMOプロセッサ220に供給される。TX MIMOプロセッサ220は、変調シンボルをさらに変調してもよい(例えばOFDM)。TX MIMOプロセッサ220は、つぎに、NT個のトランシーバ(TMTR/RCVR) 222Aないし222TにNT個の変調シンボルストリームを供給する。ある実施形態において、TX MIMOプロセッサ220は、データストリームのシンボル、およびそのシンボルが送信されているアンテナに対して、ビームフォーミング重み（またはプリコーディング）を適用する。各トランシーバ222A -222Tは、それぞれのシンボルストリームを受信し、および処理し、もって１つまたは複数のアナログ信号を供給し、およびそのアナログ信号をさらに調整（例えば、増幅、フィルタリング、アップコンバート）し、もってMIMOチャネル上の送信に適合した変調信号を供給する。トランシーバ222Aないし222TからのNT個の変調信号は、つぎに、NT個のアンテナ2241ないし224Tからそれぞれ送信される。受信機システム250において、前記送信された変調信号は、NR個のアンテナ2521ないし252Rによって受信され、各アンテナ252で受信された信号は、それぞれのトランシーバ (TMTR/RCVR) 254Aないし254Rに提供される。各受信機254A -254Rは、それぞれの受信された信号を調整(例えば、フィルタリング、増幅、およびダウンコンバート)し、その調整された信号をデジタル化し、もってサンプルを供給し、さらにそのサンプルを処理し、もって対応する「受信された」シンボルストリームを供給する。
【００３３】
RXデータプロセッサ260は、つぎに、特定の受信機処理技術に基づいてNR個のトランシーバ254A -254R からNR個の受信シンボルを受信し、および処理し、もってNT個の「検出された」シンボルストリームを供給する。RXデータプロセッサ260は、つぎに、各検出されたシンボルストリームを復調し、インターリーブ解除し、および復号し、もってデータストリームのためのトラヒックデータを復元する。RXデータプロセッサ260による処理は、送信機システム210におけるTX MIMOプロセッサ220およびTXデータプロセッサ214によって行なわれる処理と相補的である。プロセッサ270は、どのプリコーディング行列を使用するかを周期的に決定する（下記で議論される）。プロセッサ270は、行列インデックス部分およびランク値部分を具備する逆方向リンクメッセージを定式化する。逆方向リンクメッセージは、通信リンクまたは受信されたデータストリーム、またはこれらの組み合わせに関する様々なタイプの情報を具備することができる。逆方向リンクメッセージは、つぎに、TXデータプロセッサ238によって処理される。TXデータプロセッサ238は、データソース236から多数のデータストリームのためのトラヒックデータも受信する。このトラヒックデータは、変調器280によって変調され、トランシーバ254Aないし254Rによって調整され、および送信機システム210によって送信されたものである。
【００３４】
送信機システム210において、受信機システム250からの変調信号は、アンテナ2241-224Tによって受信され、トランシーバ222A -222Tによって調整され、復調器240によって復調され、そしてRXデータプロセッサ242によって処理され、もって受信機システム250によって送信された逆方向リンクメッセージが抽出される。プロセッサ230は、つぎに、ビームフォーミング重みを決定するために、どのプリコーディング行列を使用すべきかを決定し、および前記抽出されたメッセージを処理する。
【００３５】
シングルユーザMIMOの動作モードは、単一の受信機システム250が送信機システム210と通信する場合に対応する。これは、図に示されたとおりであって、上で説明された動作と整合している。そのようなシステムにおいて、NT個の送信機2241-224T (TXアンテナとしても知られている)およびNR個の受信機2521-252R(RXアンテナとしても知られている)は、無線通信のための行列チャネル(例えば、レイリーチャネル、またはガウスチャネル)を形成する。SU-MIMOチャネルは、ランダムな複素数のNR×NT行列によって記述される。当該チャネルのランクは、NR×NTチャネルの代数的ランクに等しい。時間-空間または空間-周波数の符号化において、ランクは、チャネル上で送られるデータストリーム、またはレイヤの数に等しい。ランクは、たかだかmin{NT、NR }に等しいことが認識されるべきである。NT個の送信アンテナおよびNR個の受信アンテナによって形成されるMIMOチャネルは、NV個の独立チャネルに分解されることができる。これは、空間チャネルとも呼ばれる。ここで、NV≦min{NT, NR }である。NV個の独立チャネルの各々は、1次元に対応する。
【００３６】
１つの態様において、トーンにおいてOFDMで送信／受信されたシンボルは、次の式によってモデル化されることができる。
【数１】
2010503334.tif 000003
【００３７】
ここで、y(ω)は、受信されたデータストリームであって、NR×1ベクトルであり、H(ω)は、トーンωにおけるチャネル応答NR×NT行列(例えば、時間依存のチャネル応答行列hのフーリエ変換)であり、c(ω)は、NT×1出力シンボルベクトルであり、およびn(ω)は、NR×1の雑音ベクトル(例えば、加法性白色ガウス雑音)である。プリコーディングは、NV×1のレイヤベクトルをNT×1のプリコーディング出力ベクトルに変換することができる。NVは、送信機210により発信されたデータストリーム(レイヤ)の実際の数であり、またNVは、チャネル状態と、端末から報告されたランクとに少なくとも一部分基づいた送信機(例えば基地局14)の裁量でスケジュールされることができる。c(ω)は、少なくとも1つの多重化スキーム、および送信機によって適用された少なくとも1つのプリコーディング(またはビームフォーミング)スキームの結果であることが認識されるべきである。さらに、c(ω)は、電力利得行列を用いて畳み込みされている。これは、各データストリームNVを送信するために送信機210が割り当てる電力量を決定する。送信において使用される正味の電力は、無線通信における送信機のための送信電力の規制値によって上限が制限される。
【００３８】
システム200(図2)において、NT=NR=1のとき、システムは、SISO（一入力一出力）システムに縮退する。SIMOシステムは、本明細書において記される１つまたは複数の態様にしたがって、無線通信環境におけるセクタ通信に備えることができる。
【００３９】
図3は、3つのUE、120P、120Uおよび120Sが基地局140と通信する複数のユーザのMIMOシステム300の一例を示す。基地局は、NT個のTXアンテナ2241-224Tを持っており、UEの各々は、複数のRXアンテナを持っている。すなわち、UEPは、NP個のアンテナ2521-252P、UEUは、NU個のアンテナ2521-252U、およびUESは、NS個のアンテナ2521-252Sを持っている。端末と基地局の間の通信は、アップリンク315P、315Uおよび315Sを介して実現される。同様にダウンリンク310P、310U、および310Sは、基地局140と端末UEP、UEUおよびUESとの間の通信をそれぞれ円滑にする。さらに、各端末と基地局の間の通信も、図2およびそれに対応する記述において例示されているように、実質的に同じやりかたで、実質的に同じコンポーネントを使って実行される。端末は基地局140によってサービスされるセルの中の実質的に異なる位置に配置されることがあり得るので、各端末120P, 120U および120Sは、それ自身の行列チャネルｈαおよび応答行列Hα(α＝P、UおよびS)をそれ自身のランク（階数）とともに持っている。基地局140によってサービスされるセルの中に複数のユーザが存在することができるためにセル間干渉が起こりうる。図3では3つの端末を用いて例示されているが、MU-MIMOシステムは、下記においてインデックスkで示唆されているように、任意の数の端末を含むことができることが認識されるべきである。
【００４０】
１つの態様において、トーンωおよびユーザｋについてOFDMで送信／受信されたシンボルは、次の式でモデル化されることができる。
【数２】
2010503334.tif 000004
【００４１】
ここで、シンボルは、式(1)の場合と同じ意味を持っている。マルチユーザのダイバーシチにより、ユーザkによって受信される信号中の他のユーザのとの干渉は、式(2)の第2項でモデル化されていることが認識されるべきである。プライム記号（’）は、送信されたシンボルベクトルckが合計から除外されることを示している。級数中の項は、ある送信機(例えば基地局140)によってセル内の他のユーザに送信されたシンボルの、ユーザkによる(そのチャネル応答Hkによる)受信を表している。セル間干渉は、少なくとも部分的には、チャネル状態を決定する。したがって、MU-MIMO動作において決定された送信機(CSIT)におけるチャネル状態情報は、上で議論されたSU-MIMO動作におけるCSITとは本質的に異なり得ることは容易に明白である。
【００４２】
図4Aは、MUXコンポーネント131がコードシンボル4281-428KのK個のストリームを多重化する多重化425の一例を例示する。シンボルストリーム4281-428Kは、当該ストリームの１つ（必ずしもすべてでないが）の送信タイムインターバルに相当し得るタイムインターバルΔtにまたがることができる。タイムインターバルΔtにおいて、無線装置(例えばユーザ機器120)は、ストリーム4281-428N中のシンボルを無線チャネル(例えばDL 160およびUL 180を保持するチャネル)上で送信するために、多重化コンポーネント(例えばMUXコンポーネント131)を使用することができる。ある態様において、オーバーラップするタイムインターバル(例えばΔt)の中でデータを送信するとき、多重化は、シングルキャリア送信機アーキテクチャにおける波形を保存する。多重化コンポーネント131は、単一シンボルストリーム434を生成するために、時分割多重化(TDM)または周波数分割多重化(FDM)を使用することができる。多重化した結果の単一シンボルストリーム434は、それが多重化されていることを色交換によって示しつつ多重化ストリームの識別を反映している図4Aにおいて絵的に表現されていることが認識されるべきである（ストリーム4281、4282および428Kの色だけが色交換において使用されていることに留意すべきである)。そのような表現は、説明の目的のために使用されているものであって、そのような識別を復元するには、多重化した結果の単一シンボルストリームの検出に応じて、多重化解除装置（例えばDEMUXコンポーネント155）を使用することができることに留意すべきである。
【００４３】
図4Bに関し、図1に関連して先に議論された同一のTTIにまたがるULデータコードシンボル453とULコントロールシンボル456Aとの多重化を例示するために、図4Aにおける多重化表現が図4Bの図450においても使用されている。ULデータおよびULコントロールは、同一のTTIの中で送信されることになっているので、これらのコードシンボルは、多重化される(色ブロック交換図において示されている)。多重化されたストリームは、データ送信のためにスケジュールされたリソースを使用して送信されることができる(140のようなノードBによって)。ある態様において、多重化されたストリームの送信は、SC-FDMAを使用して行なうことができる。そのような場合、データ送信に割り当てられたリソースは、図4Cの図475に例示されているように、局所的方法(例えば、局所化された12のサブキャリアブロック478がデータ送信のためにスケジュールされる)、または分散的方式（例えば、12のサブキャリア481の分散セットが１つのキャリアのインターリーブで割り当てられる）でスケジュールされることができる。同様に、データが送信されることになっていないインスタンスでは、上で議論されたように、ULコントロールシンボルは多重化されず、コントロールシンボルは、専用の周波数領域で送信される(例えば、4つのサブキャリアのセット484を備えた予約された領域が例示されている)。
【００４４】
図4Cにおいて、データおよびコントロールシンボルの送信は、多重化されているまたはいないにかかわらず、シングルキャリアで実行されるけれども、リソースは周波数領域のサブキャリアの観点から説明されているということが認識されるべきである。サブキャリアは、TTIベースで割り当てられることに留意すべきである。さらに、局所的割り当て、すなわち周波数選択スケジューリング、および分散的割り当て、すなわち周波数分散スケジューリングは、無線通信のためのSC-FDMAアーキテクチャにおけるシングルキャリア形式を保存する典型的なリソース割り当てである。データおよびコントロールの送信のためのリソーススケジュールリングに利用可能なサブキャリアの数は、通信で使用される無線システムのバンド幅に依存する。ある態様において、20MHzのバンド幅を備えた3G LTEシステムには1200のサブキャリアがある。さらに、これらのサブキャリアは、12のブロックに割り当てられる。これらのブロックの各々は、リソースブロックである。ブロックの一例484は、PUCCHのための専用リソースを表わす。
【００４５】
図5は、第1のTTIにまたがるULコンロールコードシンボル、および第2の、異なるTTIにまたがるULデータシンボルにまたがる送信を図500で例示している。ULコントロールコードシンボルA 510およびULコントロールコードシンボルBは、TTI550にまたがり、ULデータコードシンボルAおよびBは、サブTTI 560にまたがる。ある態様において、サブTTI 560は、TTI 550の半分である。しかしながら、TTIに対するサブTTIの比は、0.5より小さいものになり得ること、すなわち、最低値は、シンボルに付加されるサイクリック・プレフィックス（CP)のようなガードインターバルのタイムスパンと単一シンボルのタイムスパンとの加算値によって決定され与えられることが認識されるべきである。ある態様において、3G LTEでは、最低のタイムスパンは、2×5.2 μs + 66.7μs = 77.1μsである。ここで、 5.2μsは、0.5ミリ秒のサブTTI中の6つ(またはCPマグニチュードに依存して７つ)のシンボルの第1のもののCPである。上で議論されたように、時間的にオーバーラップするULデータおよびULコントロールコードシンボルは、データ送信のためにスケジュールされていたリソースの中で多重化され、送信される。その一方、コントロール送信のためにスケジュールされていたリソースは、始末される。図5に例示されている場合において、サブTTIが経過した後では、TTI 550が経過しかつ残りのULコントロールシンボル510が専用リソースで送信されるまで、ULデータコードシンボルは、１つも送信されない(図においてそのことが示唆されている)。その後しばらくして、サブTTI 560に対応する期間にULコントロールBが送信され、また予約されたスケジュールされたリソースでコードシンボルが送信される。その後、ULデータB 540と、ULコントロールB 530中の残りのコントロールコードシンボルとが多重化され、データのためにスケジュールされたリソースで送信される。
【００４６】
図5に関して説明されたコントロールおよびデータの送信が実施され得る実施形態において、データ送信は、DLおよびULの通信のために同じTTIを使用しており、そのことによって、送信カバレッジと、ULコントロール送信のためのより大きな送信タイムインターバルとを拡大するために、HARQから利益を得ることができる、ということ留意すべきである。コントロール送信のためのそのようなより大きな送信インターバルは、１つの基本コントロール情報ブロックによってまたがられる１つのタイムインターバルの「再送」から生じ得るものであって、したがって、HARQ−これは典型的にはコントロール通信には役立たない−に頼らずして、コントロール情報のカバレッジを拡大することができる。
【００４７】
図6は、第1のTTIにまたがる第1および第2のULコントロールコードシンボルおよび、異なるTTIにまたがるULデータシンボルの送信を図600で示す。ULデータシンボルストリームA 610およびストリームB 620は、サブTTI630にまたがる。両方のデータストリームの送信は、TTI 640にまたがる。それは、ULコントロールシンボルA 650およびコントロールシンボルB 660のTTIに対応する。異なるコントロールシンボルの送信がまたがる時間は同じであるけれども、その送信は、時間的に「歪められる」（skewed）、すなわち、ULコントロールＡ送信がサブTTI 630だけシフトされる。ある端末(例えばユーザ機器120)が、データTTI内のサブTTI区間において送信される2つの異なるDLデータストリームにACK/NACKで応答するとき、ULコントロールシンボルの2つのストリームが起こり得ることを認識するべきである（以下を参照)。一例として、3G LTEシステムにおいて、コントロールTTIは、データTTIに等しく、ともに1ミリ秒であること留意すべきである。ある態様において、2つのULコントロールコードシンボルストリームは、コントロール送信のためにスケジュールされた異なる直交リソースであることができる。さらに、送信がSC-FDMAを利用して実現されている場合、アップリンクのシングルキャリア特性を共同して保存するために、前記スケジュールされた２つの異なるリソースは、局所化された周波数、または分散化された周波数であることができる（図4C）。図6では、コントロールA内のすべてのコードシンボルがＵＬデータ内のコードシンボルとオーバーラップし、その一方、ＵＬコントロールBの2つの異なるサブTTI部分がオーバーラップするシンボルを持っている。この図6のシナリオのように、ULデータコードシンボルと、ULコントロールAおよびULコントロールＢとが時間的にオーバーラップする場合、ULコントロールおよびデータは、多重化され、データ送信のためにスケジュールされたリソースの中で送信される。反対に、図6において後で例示されたように、ULコントロールシンボルストリームのオーバーラップするTTIの中で送信されるべきULデータコントロールシンボルが1つもない場合、ULコントロールコードシンボルは、スケジュールされた専用リソースを利用して送信される。
【００４８】
図1に関連して議論されたように、DLデータコードシンボル用のTTIは、異なる時間にまたがることができる。さらに、DLデータコントロールシンボルは、ULデータコードシンボルと類似のやり方で送信されることができ、ここにおいて、DLデータシンボルは、１つのサブTTI(図5)またはあらゆるサブTTI（図6）において送られることができる。図7は、サブTTI 720におけるN-プロセス・ハイブリッド自動再送要求(HARQ)7101-710NのDLデータコードシンボルの送信を図700で示している。ここにおいて、DLデータのTTI 730は、ULコントロールTTIと同じであると考えられる。あらゆるTTIごとにDLデータが送信されること留意すべきである。DLデータをサブTTI(例えばサブTTI 720)で送信することは、DLデータ送信に関するレイテンシを減らすことができる。図7において描かれているシナリオにおいて、ULコントロールコードは、ACK/NACK表示740に対応し、ユーザ機器120によって送信される。ある態様において、データの送信は、基地局140によって促進され、またULコントロールの送信は、ユーザ機器120を通じて遂行される。図7のシナリオにおいてULデータが送信され得ること、および前述の態様にしたがってULコードおよびデータの送信が起こり得ることが認識されるべきである。ACK/NACK表示740が基地局140によって受信された後、例えば、新規の送信が始められる、またはN-プロセスHARQの再送信が始められる。
【００４９】
図8は、N-プロセスHARQ中のDLデータコードシンボル8101-810Nおよび8201-820Nの送信を図800で示しており、ここにおいて、各サブTTI830においてデータが送信され、および2つのULコントロールコードシンボルストリーム8501-850Nおよび8601-860Nが受信される。ULコントロールTTI 840は、DLデータTTIと同じである。また、ULコントロール850および860は、ACK/NACK応答(例えばユーザ端末120によって提供される)に対応する。DLデータ8101-810Nおよび8201-820Nの送信は、3つの異なるULコントロール（例えば、8503、8602および8603）を含むULコントロール送信の送信に帰着する可能性がある。そのようなULコントロールコードシンボルの送信は、図6に関連して上で議論されたように進行する。
【００５０】
ダウンリンクチャネル(例えばDL 160)およびアップリンクチャネル(例えばUL180)の特性の間の相互性により、図8のDLデータ送信およびUL ACK/NACK構造は、ULがデータ(ユーザデータ)を送信し、かつDLがACK/NACK表示を送信するように、互いに相互的であることができることが認識されるべきである。そのような相互的送信シナリオにおける１つの相違点は、異なるUEのデータ送信を曖昧性なくACK/NACKするには、2倍のリソースが必要なことである。
【００５１】
図9は、TTI 950の内の３つの異なるサブTTI 9401、9402および9403にまたがるDLデータコードシンボル9101-910N、9201-920N、および9301-930Nを図900で示す。異なるサブTTIは、情報ダイバーシチを利用することができる。送信機(例えば基地局140)は、送信されるべき情報の適切な部分を各サブTTIにおいて伝達するために、DL(例えばDL 160)上で送られるべき情報にしたがって、送信における各サブTTIを選択することができる。一例として、仮にTTIが7つのシンボルおよび対応するタイムガードに対処することができ、かつ送信されるべき情報の部分が2つ、1つおよび4つのコードシンボルで伝達されることができるとすれば、サブTTI 9401、9402および9403は、そのような個数のシンボルにそれぞれまたがるように選択されることができ、したがって、完全には情報を伝達しない追加的なシンボルをサブTTIで送ることによって生じるかもしれないレイテンシを持ち込むことなく、TTIの内にすべての情報を伝達することができる。DLリンクデータが送信されるサブTTI区間の各々について、UL当該データを受信する端末（例えばUE 120)からACK/NACKストリームが発せられ得ることを認識するべきである。
【００５２】
ULデータ9701-970Mを送信するとき、ダウンリンクのときと実質的に同じ方法で情報ダイバーシチを利用するために、異なるサブTTI 9601-960Mを使用することができる。図１および4に関連して上で議論されたように、そのようなULデータがULコントロールコードシンボル9801-980Pの送信とオーバーラップするとき、データおよびコントロールは、多重化され、データ送信のためにスケジュールされたリソースの上で送信される。ULコントロールTTI 990は、DLデータTTI 950と異なってもよいこと留意すべきである。
【００５３】
ある態様において、送信機(例えば基地局140またはUE 120)における人工知能コンポーネント(例えばAIコンポーネント133または158)は、サブTTIを最適化するために、バッファ（例えばメモリ125または146)中の情報を利用することができる。そのような最適化は、追加的な処理オーバーヘッドを持ち込む可能性があるが、UL通信におけるレイテンシを軽減することができる。「知能」という語は、あるシステムについての現行の情報に基づいて、当該システムの現在および将来の状態について論証し、または結論を導き、例えば、推理する能力をいう。人工知能は、人間の介在なく、ある特定の文脈、または行動を識別し、またはあるシステムにおける特定の状態の確率分布を生成するために、利用されることができる。人工知能は、高度な数学アルゴリズム―例えば、決定木（デシジョンツリー）、神経回路網、回帰分析、クラスタ分析、遺伝アルゴリズム、および強化学習―をシステム上の利用可能なデータ（情報）のセットに適用することに依存する。特に、AIコンポーネント133および158は、データから学習し、つぎに適切に組み立てられたモデルから推論を引き出すための多数の方法のうちの1つを使用することができる。そのようなモデルとして、例えば、隠れマルコフモデル(HMM)、および関連するプロトタイプ的依存モデル、ベイズモデルスコアまたは近似を用いる構造検索等により生成されるベイジアンネットワークのようなより一般的な確率グラフモデル、サポートベクトルマシン（SVM）のような線型分類器、「神経回路網」法と呼ばれる方法、ファジー論理方法、およびデータフュージョン等を実行する他のアプローチのような非線形分類器であって、以下において説明される自動化態様の実装と整合的であるものを含むことができる。
【００５４】
上で示され説明された例示的システムを考慮して、開示の主題にしたがって実装されることができる方法は、図10-11のフローチャートを参照することにより、よりよく認識されるであろう。説明の単純さの目的のために、本方法は、一連のブロックとして示され説明されてはいるけれども、クレームされている主題は、ブロックの個数や順序によって制限されるものではなく、いくつかのブロックは、本明細書において描かれ、説明されているものとは異なる順序で、および/または同時に起きてもよい、ということが理解され、認識されるべきである。さらに、以下で説明される方法を実施するために、必ずしもすべての例示ブロックが必要とされるわけではない。ブロックに関連する機能性は、ソフトウェア、ハードウェア、それらの組み合わせ、またはその他の任意の適当な手段(例えば、装置、システム、処理、コンポーネント等々)によって実装されることができる、ということが認識されるべきである。さらに、以下においておよび本明細書全体にわたって開示される本方法は、そのような方法を様々な装置に輸送し、転送することを円滑化するために、製造物の上に記憶されることができるという。一般に方法は、例えば、状態遷移図のように、一連の相互に関係のある状態またはイベントとして、代替的に表現することもできる、ということを当業者は理解し認識するであろう。
【００５５】
図10は、データおよびコントロールコードシンボルを送信する方法1000のフローチャートを提供する。行為1010において、データおよびコントロールコードシンボルを送信するためのリソースの割り当てが受信される。ある態様において、そのような割当ては、基地局(例えば基地局140)によってスケジュールされることができる。またチャネル状態、基地局によってカバーされるサービスセル内のユーザ数、等々に依存して、リソースは分散的方法または局所的方法で割り当てられることができる（図4C）。確認行為1020は、データおよびコントロールコードシンボルが同じ送信タイムインターバル(TTI)内に送信されるかどうかをチェックする。例えばTTIを使用して、TTIの倍数にあたる時間で確認行為1020を実行することにより、確認行為1020を周期的に行うことができること留意すべきである。送信タイムインターバルは、データおよびコントロールコードシンボルの通信が起こる無線システム（例えば３G LTE）の仕様と互換性をもつ最小のタイムインターバルに対応することができるということが認識されるべきである。2以上のコントロールシンボルストリームが送信される場合、１つのストリームのコントロールシンボルであって、それとは異なる第1のコントロールストリームのTTIの内に送信されるものも、データと多重化される。1030においてYESの場合、コントロールおよびデータが多重化され（例えば、131のような多重化コンポーネントを使用して）、データ送信に割り当てられたリソースを使用して送信される。反対に行為1040において、データおよびコントロールシンボルは、それぞれ、データ送信のためにスケジュールされたリソースおよびコントロール送信専用のリソースを使用して送信される。送信方法1000は、UP送信がSC-FMDを利用する無線システムにおいて、送信波形のシングルキャリア特性を保持しているということが認識されるべきである。
【００５６】
図11は、データおよびコントロールシンボルを受信する方法1100のフローチャートを提供する。行為1110は、コントロールおよびデータコードシンボルの送信のためにリソースをスケジュールすることに帰着する。ある態様において、そのようなリソースは、端末の能力、バンド幅のような無線システム仕様、および端末が作動するサービスセル内のユーザ数に基づいて、端末(例えばユーザ機器120)に割り当てられる。行為1120において、コードシンボルのストリームが受信され、データおよびコントロールコードシンボルが多重化されているか決定される。そのような決定は、基地局のプロセッサ(例えば、プロセッサ143)によって実行されることができる。データ送信に割り当てられたリソースを通じて受信された多重化されたコードシンボルは、1130において多重化解除される（例えば多重化解除コンポーネント155を使用して）。
【００５７】
次に、開示された主題の態様を可能にすることができるシステムが図12および13に関連して説明される。そのようなシステムは、機能ブロックを含むことができる。これは、プロセッサまたは電子機器、ソフトウェアまたはこれらの組み合わせ(例えばファームウェア)によって実装される機能を表現する機能ブロックであることができる。
【００５８】
図12は、スケジュールされたリソースを使用してデータおよびコントロールコードシンボルの送信を可能にするシステム1200を示す。システム1200は、無線端末(例えばユーザ機器120)内に少なくとも部分的には存在することができる。システム1200は、関連して動作することができる電子的コンポーネントの論理グルーピング1210を含んでいる。ある態様において、論理グルーピング1210は、送信タイムインターバルの内に伝達される多重化されたデータおよびコントロールシンボルを送信するために、データ送信のために割り当てられたリソースのセットを利用する電子コンポーネント1215を含んでいる（図4Bおよび図6）。一例として、このリソースは、局所化されたリソースで(図4C)あってよく、またデータコードシンボルは、コントロールコードシンボルが送信されることができるコントロールTTIにまたがる2つの続いて起こるサブTTI区間において送信されることができる。さらに、論理グルーピング1210は、データおよびコントロールシンボルが多重化されない場合、コントロールシンボルを送信するために、割り当てられたコントロールリソースのセットを使用する電子コンポーネント1225を具備することができる。さらに、システム1200は、電気コンポーネント1215および1225に関連する機能を実行する命令、ならびにそのような命令を実行する間に生成されるデータを保持するメモリ1230を含むことができる。図ではメモリ1230の外側にあるものとして示されているが、1つまたは複数の電子コンポーネント1215および1225は、メモリ1230の内に存在することができることが理解されるべきである。
【００５９】
図13は、データおよびコントロールコードシンボルが多重化されているか決定し、そしてそのようなシンボルを多重化解除することを可能にするシステム1300を示す。システム1300は、送信機(例えば基地局140)または無線端末(例えばユーザ機器120)の内に少なくとも部分的に存在することができる。システム1300は、関連して動作することができる電子コンポーネントの1つの論理グルーピング1310を含んでいる。ある態様において、論理グルーピング1310は、受信したコードシンボルストリームが多重化されたデータコードシンボルおよびコントロールコードシンボルのストリームであるかどうか決定する電子コンポーネント1315を含んでいる。さらに、論理グルーピング1310は、前記シンボルが多重化されていると決定した場合、データコードシンボルおよびコントロールコードシンボルの前記ストリームを多重化解除する電子コンポーネント1325を含んでいる。ある態様において、そのような電子コンポーネントは、基地局140(図1)に存在する多重化解除（DEMUX）コンポーネント155を含むことができる。さらに、システム1300は、電気コンポーネント1315および1325に関連する機能を実行する命令、ならびにそのような命令の実行の間に生成されるデータを保持するメモリ1330を含むことができる。図ではメモリ1230の外側にあるものとして示されているが、1つまたは複数の電子コンポーネント1315および1325は、メモリ1330の内に存在することができることが理解されるべきである。
【００６０】
本明細書において説明された様々な態様または特徴は、標準的プログラミングおよび/またはエンジニアリングの技法を用いて、方法、装置、または製造物として実装されることができる。本明細書において使用されるような「製造物」（article of manufacture）の語は、任意のコンピュータ可読デバイス、キャリアまたは媒体からアクセス可能なコンピュータプログラムを包含するように意図されている。例えば、コンピュータ可読媒体は、磁気記憶装置(例えばハードディスク、フロッピディスク、磁気ストリップ等)、光ディスク(例えばコンパクトディスク(CD)、ディジタルバーサタイルディスク(DVD)等)、スマートカード、およびフラッシュメモリ装置(例えばEPROM、カード、スティック、キードライブ等)を含むことができる。ただし、これらのものに限られない。さらに、本明細書において記載された様々な記憶媒体は、情報を記憶するための１つまたは複数の装置および/または機械可読媒体を表わすことができる。「機械可読媒体」の語は、命令および/またはデータを記憶し、包含し、および伝達する能力のある無線チャネルおよび他の様々な媒体を含むことができる。ただし、これらのものに限られない。
【００６１】
以上において説明されたことは、１つまたは複数の態様の例を含んでいる。それは、前述の態様を説明する目的のためにコンポーネントまたは方法の考えられるあらゆる組み合わせを説明することはもちろん不可能である。しかし、本技術分野の当業者であれば、様々な態様の多くのさらなる組み合わせおよび入れ替えが可能であることを認識することができよう。したがって、ここに説明された態様は、添付の特許請求の範囲の要旨および範囲の内に入るすべてのそのような変更、修正および変形を包含するように意図されている。さらに、「含む」（includes）という語が発明の詳細な説明またはクレームのいずれかにおいて使用されるかぎりにおいて、その語は、「具備する」（comprising）の語がクレームにおいて接続詞として使用されるとき解釈されるのと同様の意味合いで包括的であるように意図されている。
【図１】
2010503334.tif 000005
【図２】
2010503334.tif 000006
【図３】
2010503334.tif 000007
【図４Ａ】
2010503334.tif 000008
【図４Ｂ】
2010503334.tif 000009
【図４Ｃ】
2010503334.tif 000010
【図５】
2010503334.tif 000011
【図６】
2010503334.tif 000012
【図７】
2010503334.tif 000013
【図８】
2010503334.tif 000014
【図９】
2010503334.tif 000015
【図１０】
2010503334.tif 000016
【図１１】
2010503334.tif 000017
【図１２】
2010503334.tif 000018
【図１３】
2010503334.tif 000019
【国際調査報告】
2010503334.tif 000020
2010503334.tif 000021
2010503334.tif 000022
2010503334.tif 000023